【手続補正書】
【提出日】平成20年4月23日(2008.4.23)
【手続補正１】
【補正対象書類名】明細書
【補正対象項目名】発明の名称
【補正方法】変更
【補正の内容】
【発明の名称】定着装置及び定着方法
【手続補正２】
【補正対象書類名】明細書
【補正対象項目名】特許請求の範囲
【補正方法】変更
【補正の内容】
【特許請求の範囲】
【請求項１】
被定着体を加熱する加熱部材と、
この加熱部材の外面側に当接し前記被定着体を前記加熱部材に押し付ける加圧部材と、
前記加熱部材の内面側に対向位置され、駆動電流が供給されることにより電磁波を発生し、この電磁波により前記加熱部材を加熱する電磁誘導コイルとを具備し、
前記加熱部材の内面側に少なくとも一部光沢面を有することを特徴とする定着装置。
【請求項２】
前記加熱部材の内面側の全放射率εを０．４以下にしたことを特徴とする定着装置。
【請求項３】
前記放射率εは電磁波の波長が０．３〜１０μｍの範囲で、０．４以下であることを特徴とする請求項２記載の定着装置。
【請求項４】
被定着体を加熱する加熱部材と、
この加熱部材の外面側に当接し前記被定着体を前記加熱部材に押し付ける加圧部材と、
前記加熱部材の内面側に対向位置され、駆動電流が供給されることにより電磁波を発生し、この電磁波により前記加熱部材を加熱する電磁誘導コイルとを具備し、
前記加熱部材の内面側の表面粗さRmaxを５μm以下にしたことを特徴とする定着装置。
【請求項５】
被定着体を加熱する加熱部材と、
この加熱部材の外面側に当接し前記被定着体を前記加熱部材に押し付ける加圧部材と、
前記加熱部材の内面側に対向位置され、駆動電流が供給されることにより電磁波を発生し、この電磁波により前記加熱部材を加熱する電磁誘導コイルとを具備し、
前記加熱部材をフェライト系或はオ一ステナイト系のステンレス製とし、前記加熱部材の内面に塗装、或は防錆処理をしないことを特徴とする定着装置。
【請求項６】
被定着体を加熱する加熱部材と、
この加熱部材の外面側に当接し前記被定着体を前記加熱部材に押し付ける加圧部材と、
前記加熱部材の内面側に対向位置され、駆動電流が供給されることにより電磁波を発生し、この電磁波により前記加熱部材を加熱する電磁誘導コイルとを具備し、
前記加熱部材をフェライト系或はオ一ステナイト系のステンレス製とし、前記加熱部材の内面を機械研磨処理したことを特徴とする定着装置。
【請求項７】
被定着体を加熱する加熱部材と、
この加熱部材の外面側に当接し前記被定着体を前記加熱部材に押し付ける加圧部材と、
前記加熱部材の内面側に対向位置され、駆動電流が供給されることにより電磁波を発生し、この電磁波により前記加熱部材を加熱する電磁誘導コイルとを具備し、
前記加熱部材をフェライト系或はオ一ステナイト系のステンレス製とし、前記加熱部材の内面を電解研磨処理したことを特徴とする定着装置。
【請求項８】
被定着体を加熱する加熱部材と、
この加熱部材の外面側に当接し前記被定着体を前記加熱部材に押し付ける加圧部材と、
前記加熱部材の内面側に対向位置され、駆動電流が供給されることにより電磁波を発生し、この電磁波により前記加熱部材を加熱する電磁誘導コイルとを具備し、
前記加熱部材をフェライト系或はオ一ステナイト系のステンレス製とし、前記加熱部材の内面を電解研磨と機械研磨とで処理したことを特徴とする定着装置。
【請求項９】
被定着体を加熱する加熱部材と、
この加熱部材の外面側に当接し前記被定着体を前記加熱部材に押し付ける加圧部材と、
前記加熱部材の内面側に対向位置され、駆動電流が供給されることにより電磁波を発生し、この電磁波により前記加熱部材を加熱する電磁誘導コイルとを具備し、
前記加熱部材の内面にメッキ材料によりメッキ処理してメッキ層を形成したことを特徴とする定着装置。
【請求項１０】
前記メッキ膜厚は5μm以下であることを特徴とする請求項９記載の定着装置。
【請求項１１】
前記加熱部材は鉄製であることを特徴とする請求項９記載の定着装置。
【請求項１２】
前記加熱部材の内面をメッキ処理前に表面粗さRmax8μm以下にすることを特徴とする請求項９記載の定着装置。
【請求項１３】
前記メッキ材料はニッケル、銀、銅、クロムであることを特徴とする請求項９記載の定着装置。
【請求項１４】
前記加熱部材のメッキ処理後の内面表面粗さRmaxを10μm以下とする請求項９記載の定着装置。
【請求項１５】
前記加熱部材のメッキ処理後の内面の放射率が電磁波長0.3〜10μmの範囲で、O.4以下であることを特徴とする請求項９記載の定着装置。
【請求項１６】
被定着体を加熱する加熱部材と、
この加熱部材の外面側に当接し前記被定着体を前記加熱部材に押し付ける加圧部材と、
前記加熱部材に近接して位置され、駆動電流が供給されることにより電磁波を発生し、この電磁波により前記加熱部材を加熱する電磁誘導コイルとを具備し、
前記加熱部材と前記電磁誘導加熱コイルとの磁気結合の度合いを示すインダクタンスＬの変化量が常温から定着可能温度内で２０％以下になる材料を用いて、前記加熱部材を構成することを特徴とする定着装置。
【請求項１７】
被定着体を加熱する加熱部材と、
この加熱部材の外面側に当接し前記被定着体を前記加熱部材に押し付ける加圧部材と、
前記加熱部材に近接して位置され、駆動電流が供給されることにより電磁波を発生し、この電磁波により前記加熱部材を加熱する電磁誘導コイルとを具備し、
前記加熱部材の比抵抗（μΩ・ｃｍ）の運動量が、常温から定着可能温度内で４０％以下になる材料を用いて、前記加熱部材を構成することを特徴とする定着装置。
【請求項１８】
被定着体を加熱する加熱部材と、
この加熱部材の外面側に当接し前記被定着体を前記加熱部材に押し付ける加圧部材と、
前記加熱部材に近接して位置され、駆動電流が供給されることにより電磁波を発生し、この電磁波により前記加熱部材を加熱する電磁誘導コイルとを具備し、
前記電磁誘導コイルの抵抗値（Ω）即ちコイル出力／（コイル電流実効値）2の変動量が、常温から定着可能温度範囲内で８％以下になる材料を用いて、前記加熱部材を構成することを特徴とする定着装置。
【請求項１９】
被定着体を加熱する加熱部材と、
この加熱部材の外面側に当接し前記被定着体を前記加熱部材に押し付ける加圧部材と、
前記加熱部材の内面側に対向位置され、駆動電流が供給されることにより電磁波を発生し、この電磁波により前記加熱部材を加熱する電磁誘導コイルとを具備し、
前記電磁誘導コイルの一部に磁力強化用コア材を配置したことを特徴とする定着装置。
【請求項２０】
前記コア材のキューリ一点温度に基づいて前記加熱部材の温度を制御することを特徴とする請求項１９記載の定着装置。
【請求項２１】
前記加熱部材はローラ材で、前記電磁誘導コイルは前記加熱部材の長手方向に沿って巻回され、前記コア材は前記電磁誘導コイルの長手方向に沿って配置されることを特徴とする請求項１９記載の定着装置。
【請求項２２】
前記加熱部材はローラ材で、前記電磁誘導コイルは前記加熱部材の長手方向に沿って巻回され、前記コア材は前記電磁誘導コイルの長手方向に対し直交する方向に配置されることを特徴とする請求項１９記載の定着装置。
【請求項２３】
前記コア材のキューリ一点温度は250℃以下であることを特徴とする請求項１９記載の定着装置。
【請求項２４】
被定着体を加熱する加熱部材と、
この加熱部材の外面側に当接し前記被定着体を前記加熱部材に押し付ける加圧部材と、
前記加熱部材の内面側に対向位置され、駆動電流が供給されることにより電磁波を発生し、この電磁波により前記加熱部材を加熱する電磁誘導コイルとを具備し、
前記電磁誘導コイルの一部に磁力強化用コア材を配置し、通紙サイズに応じて、コア材をコイル内側からコイルの外側に移動させることによって加熱部材の温度むらを低減することを特徴とする定着装置。
【請求項２５】
被定着体を加熱する加熱部材と、
この加熱部材の外面側に当接し前記被定着体を前記加熱部材に押し付ける加圧部材と、
前記加熱部材の内面側に対向位置され、駆動電流が供給されることにより電磁波を発生し、この電磁波により前記加熱部材を加熱する電磁誘導コイルと、
この電磁誘導コイルが発生する電磁波の一部を遮蔽する移動自在な遮蔽手段と、
を具備することを特徴とする定着装置。
【請求項２６】
前記遮蔽手段は電磁誘導コイルの磁束発生最大部分と最小部分との間で移動することを特徴とする請求項２５記載の定着装置。
【請求項２７】
フェライト系或はオ一ステナイト系のステンレス製で、内面が機械研磨処理された加熱部材の外面側に加圧部材を当接して被定着体を前記加熱部材に押し付け、
前記加熱部材の内面側に対向配置される電磁誘導コイルに駆動電流を供給することにより電磁波を発生させ、この電磁波により前記加熱部材を加熱して前記被定着体を加熱することを特徴とする定着方法。
【請求項２８】
フェライト系或はオ一ステナイト系のステンレス製で、内面が電解研磨処理された加熱部材の外面側に加圧部材を当接して被定着体を前記加熱部材に押し付け、
前記加熱部材の内面側に対向配置される電磁誘導コイルに駆動電流を供給することにより電磁波を発生させ、この電磁波により前記加熱部材を加熱して前記被定着体を加熱することを特徴とする定着方法。
【請求項２９】
内面にメッキ材料によりメッキ処理してメッキ層を形成した加熱部材の外面側に加圧部材を当接して被定着体を前記加熱部材に押し付け、
前記加熱部材の内面側に対向配置される電磁誘導コイルに駆動電流を供給することにより電磁波を発生させ、この電磁波により前記加熱部材を加熱して前記被定着体を加熱することを特徴とする定着方法。
【請求項３０】
加熱部材の外面側に加圧部材を当接して被定着体を前記加熱部材に押し付け、
前記加熱部材の内面側に対向配置されて一部に磁力強化用コア材を有する電磁誘導コイルに駆動電流を供給して電磁波を発生させるとともに、前記被定着体のサイズに応じて、前記コア材を電磁誘導コイルの内側から外側に移動させ、前記電磁波により前記加熱部材を加熱して前記被定着体を加熱することを特徴とする定着方法。
【請求項３１】
加熱部材の外面側に加圧部材を当接して被定着体を前記加熱部材に押し付け、
前記加熱部材の内面側に対向配置される電磁誘導コイルに駆動電流を供給することにより電磁波を発生させるとともに、その一部を移動自在な遮蔽手段により遮蔽し、この一部が遮蔽される電磁波により前記加熱部材を加熱して前記被定着体を加熱することを特徴とする定着方法。
【手続補正３】
【補正対象書類名】明細書
【補正対象項目名】０００１
【補正方法】変更
【補正の内容】
【０００１】
【発明の属する技術分野】
本発明は例えば静電複写機、レーザプリンタ等の画像形成装置に搭載される定着装置及び定着方法に関する。
【手続補正４】
【補正対象書類名】明細書
【補正対象項目名】００２５
【補正方法】変更
【補正の内容】
【００２５】
【課題を解決するための手段】
上記課題を解決するため、請求項１記載のものは、被定着体を加熱する加熱部材と、この加熱部材の外面側に当接し前記被定着体を前記加熱部材に押し付ける加圧部材と、前記加熱部材の内面側に対向位置され、駆動電流が供給されることにより電磁波を発生し、この電磁波により前記加熱部材を加熱する電磁誘導コイルとを具備し、前記加熱部材の内面側に少なくとも一部光沢面を有することを特徴とする。
【手続補正５】
【補正対象書類名】明細書
【補正対象項目名】００２６
【補正方法】変更
【補正の内容】
【００２６】
請求項４記載のものは、被定着体を加熱する加熱部材と、この加熱部材の外面側に当接し前記被定着体を前記加熱部材に押し付ける加圧部材と、前記加熱部材の内面側に対向位置され、駆動電流が供給されることにより電磁波を発生し、この電磁波により前記加熱部材を加熱する電磁誘導コイルとを具備し、前記加熱部材の内面側の表面粗さRmaxを５μm以下にしたことを特徴とする。
【手続補正６】
【補正対象書類名】明細書
【補正対象項目名】００２７
【補正方法】変更
【補正の内容】
【００２７】
請求項５記載のものは、被定着体を加熱する加熱部材と、この加熱部材の外面側に当接し前記被定着体を前記加熱部材に押し付ける加圧部材と、前記加熱部材の内面側に対向位置され、駆動電流が供給されることにより電磁波を発生し、この電磁波により前記加熱部材を加熱する電磁誘導コイルとを具備し、前記加熱部材をフェライト系或はオ一ステナイト系のステンレス製とし、前記加熱部材の内面に塗装、或は防錆処理をしないことを特徴とする。
【手続補正７】
【補正対象書類名】明細書
【補正対象項目名】００２８
【補正方法】変更
【補正の内容】
【００２８】
請求項６記載のものは、被定着体を加熱する加熱部材と、この加熱部材の外面側に当接し前記被定着体を前記加熱部材に押し付ける加圧部材と、前記加熱部材の内面側に対向位置され、駆動電流が供給されることにより電磁波を発生し、この電磁波により前記加熱部材を加熱する電磁誘導コイルとを具備し、前記加熱部材をフェライト系或はオ一ステナイト系のステンレス製とし、前記加熱部材の内面を機械研磨処理したことを特徴とする。
【手続補正８】
【補正対象書類名】明細書
【補正対象項目名】００２９
【補正方法】変更
【補正の内容】
【００２９】
請求項７に記載のものは、被定着体を加熱する加熱部材と、この加熱部材の外面側に当接し前記被定着体を前記加熱部材に押し付ける加圧部材と、前記加熱部材の内面側に対向位置され、駆動電流が供給されることにより電磁波を発生し、この電磁波により前記加熱部材を加熱する電磁誘導コイルとを具備し、前記加熱部材をフェライト系或はオ一ステナイト系のステンレス製とし、前記加熱部材の内面を電解研磨処理したことを特徴とする。
【手続補正９】
【補正対象書類名】明細書
【補正対象項目名】００３０
【補正方法】変更
【補正の内容】
【００３０】
請求項８に記載のものは、被定着体を加熱する加熱部材と、この加熱部材の外面側に当接し前記被定着体を前記加熱部材に押し付ける加圧部材と、前記加熱部材の内面側に対向位置され、駆動電流が供給されることにより電磁波を発生し、この電磁波により前記加熱部材を加熱する電磁誘導コイルとを具備し、前記加熱部材をフェライト系或はオ一ステナイト系のステンレス製とし、前記加熱部材の内面を電解研磨と機械研磨とで処理したことを特徴とする。
【手続補正１０】
【補正対象書類名】明細書
【補正対象項目名】００３１
【補正方法】変更
【補正の内容】
【００３１】
請求項９に記載のものは、被定着体を加熱する加熱部材と、この加熱部材の外面側に当接し前記被定着体を前記加熱部材に押し付ける加圧部材と、前記加熱部材の内面側に対向位置され、駆動電流が供給されることにより電磁波を発生し、この電磁波により前記加熱部材を加熱する電磁誘導コイルとを具備し、前記加熱部材の内面にメッキ材料によりメッキ処理してメッキ層を形成したことを特徴とする。
【手続補正１１】
【補正対象書類名】明細書
【補正対象項目名】００３２
【補正方法】変更
【補正の内容】
【００３２】
請求項１６に記載のものは、被定着体を加熱する加熱部材と、この加熱部材の外面側に当接し前記被定着体を前記加熱部材に押し付ける加圧部材と、前記加熱部材に近接して位置され、駆動電流が供給されることにより電磁波を発生し、この電磁波により前記加熱部材を加熱する電磁誘導コイルとを具備し、前記加熱部材と前記電磁誘導加熱コイルとの磁気結合の度合いを示すインダクタンスＬの変化量が常温から定着可能温度内で２０％以下になる材料を用いて、前記加熱部材を構成することを特徴とする。
【手続補正１２】
【補正対象書類名】明細書
【補正対象項目名】００３３
【補正方法】変更
【補正の内容】
【００３３】
請求項１７に記載のものは、被定着体を加熱する加熱部材と、この加熱部材の外面側に当接し前記被定着体を前記加熱部材に押し付ける加圧部材と、前記加熱部材に近接して位置され、駆動電流が供給されることにより電磁波を発生し、この電磁波により前記加熱部材を加熱する電磁誘導コイルとを具備し、前記加熱部材の比抵抗（μΩ・ｃｍ）の運動量が、常温から定着可能温度内で４０％以下になる材料を用いて、前記加熱部材を構成することを特徴とする。
【手続補正１３】
【補正対象書類名】明細書
【補正対象項目名】００３４
【補正方法】変更
【補正の内容】
【００３４】
請求項１８に記載のものは、被定着体を加熱する加熱部材と、この加熱部材の外面側に当接し前記被定着体を前記加熱部材に押し付ける加圧部材と、前記加熱部材に近接して位置され、駆動電流が供給されることにより電磁波を発生し、この電磁波により前記加熱部材を加熱する電磁誘導コイルとを具備し、前記電磁誘導コイルの抵抗値（Ω）即ちコイル出力／（コイル電流実効値）2の変動量が、常温から定着可能温度範囲内で８％以下になる材料を用いて、前記加熱部材を構成することを特徴とする。
【手続補正１４】
【補正対象書類名】明細書
【補正対象項目名】００３５
【補正方法】変更
【補正の内容】
【００３５】
請求項１９に記載のものは、被定着体を加熱する加熱部材と、この加熱部材の外面側に当接し前記被定着体を前記加熱部材に押し付ける加圧部材と、前記加熱部材の内面側に対向位置され、駆動電流が供給されることにより電磁波を発生し、この電磁波により前記加熱部材を加熱する電磁誘導コイルとを具備し、前記電磁誘導コイルの一部に磁力強化用コア材を配置したことを特徴とする。
【手続補正１５】
【補正対象書類名】明細書
【補正対象項目名】００３６
【補正方法】変更
【補正の内容】
【００３６】
請求項２４に記載のものは、被定着体を加熱する加熱部材と、この加熱部材の外面側に当接し前記被定着体を前記加熱部材に押し付ける加圧部材と、前記加熱部材の内面側に対向位置され、駆動電流が供給されることにより電磁波を発生し、この電磁波により前記加熱部材を加熱する電磁誘導コイルとを具備し、前記電磁誘導コイルの一部に磁力強化用コア材を配置し、通紙サイズに応じて、コア材をコイル内側からコイルの外側に移動させることによって加熱部材の温度むらを低減することを特徴とする。
【手続補正１６】
【補正対象書類名】明細書
【補正対象項目名】００３７
【補正方法】変更
【補正の内容】
【００３７】
請求項２５に記載のものは、被定着体を加熱する加熱部材と、この加熱部材の外面側に当接し前記被定着体を前記加熱部材に押し付ける加圧部材と、前記加熱部材の内面側に対向位置され、駆動電流が供給されることにより電磁波を発生し、この電磁波により前記加熱部材を加熱する電磁誘導コイルと、この電磁誘導コイルが発生する電磁波の一部を遮蔽する移動自在な遮蔽手段とを具備することを特徴とする。
請求項２７に記載のものは、フェライト系或はオ一ステナイト系のステンレス製で、内面が機械研磨処理された加熱部材の外面側に加圧部材を当接して被定着体を前記加熱部材に押し付け、前記加熱部材の内面側に対向配置される電磁誘導コイルに駆動電流を供給することにより電磁波を発生させ、この電磁波により前記加熱部材を加熱して前記被定着体を加熱することを特徴とする。
請求項２８に記載のものは、フェライト系或はオ一ステナイト系のステンレス製で、内面が電解研磨処理された加熱部材の外面側に加圧部材を当接して被定着体を前記加熱部材に押し付け、前記加熱部材の内面側に対向配置される電磁誘導コイルに駆動電流を供給することにより電磁波を発生させ、この電磁波により前記加熱部材を加熱して前記被定着体を加熱することを特徴とする。
請求項２９に記載のものは、内面にメッキ材料によりメッキ処理してメッキ層を形成した加熱部材の外面側に加圧部材を当接して被定着体を前記加熱部材に押し付け、前記加熱部材の内面側に対向配置される電磁誘導コイルに駆動電流を供給することにより電磁波を発生させ、この電磁波により前記加熱部材を加熱して前記被定着体を加熱することを特徴とする。
請求項３０に記載のものは、加熱部材の外面側に加圧部材を当接して被定着体を前記加熱部材に押し付け、前記加熱部材の内面側に対向配置されて一部に磁力強化用コア材を有する電磁誘導コイルに駆動電流を供給して電磁波を発生させるとともに、前記被定着体のサイズに応じて、前記コア材を電磁誘導コイルの内側から外側に移動させ、前記電磁波により前記加熱部材を加熱して前記被定着体を加熱することを特徴とする。
請求項３１に記載のものは、加熱部材の外面側に加圧部材を当接して被定着体を前記加熱部材に押し付け、前記加熱部材の内面側に対向配置される電磁誘導コイルに駆動電流を供給することにより電磁波を発生させるとともに、その一部を移動自在な遮蔽手段により遮蔽し、この一部が遮蔽される電磁波により前記加熱部材を加熱して前記被定着体を加熱することを特徴とする。